(57)【要約】【課題】ワイヤレスキーボード装置本体にＮｕｍ　Ｌｏｃｋ　などの表示機能を搭載する。【解決手段】上面カバーフレーム１２にＮｕｍ　Ｌｏｃｋ，　Ｃａｐｓ　Ｌｏｃｋ，　Ｓｃｒｏｌｌ　Ｌｏｃｋの状態を表示する表示窓３，　４，　５を形成し、裏面のスライドガイド１３に表示板６，　７，　８を装着する。表示板６，　７，　８の裏面のラック１４とモータ９，　１０，　１１のシャフト１５に取付けたピ二オン１６とによりスライド機構を構成する。表示板６，　７，　８の表面の左半分Ｌは緑色等とし、右半分Ｒは上面カバーフレーム１２と同色とする。Ｎｕｍ　Ｌｏｃｋ等のキー操作に応じてモータが駆動されて表示板６，　７，　８がスライドし、表示窓３，　４，　５内の表示色が切換わってＬｏｃｋ状態またはＬｏｃｋ解除状態を表示する。表示切換え時にのみ電力を消費するので消費電力が少なく、ワイヤレスキーボード装置本体の電池を消耗することがない。【選択図】　図２
2004078644.tif 000002
【特許請求の範囲】
【請求項１】
キーボードの上面カバープレートに窓を形成し、二色に色分けした表示板或いはオン／オフなどの文字を記した表示板を前記窓の下に配置し、モータにより表示板を移動して窓内に表示される色または文字を切換えることにより、Ｎｕｍ　Ｌｏｃｋ，　Ｃａｐｓ　Ｌｏｃｋ，　Ｓｃｒｏｌｌ　Ｌｏｃｋ等のＬｏｃｋ／Ｕｎｌｏｃｋ状態やＥ−Ｍａｉｌの着信等を表示するように構成したワイヤレスキーボード装置。
【請求項２】
上記表示板の移動機構は、モータシャフトに取付けたピニオンと表示板の裏面に形成したラックとからなるラックピニオン機構である請求項１記載のワイヤレスキーボード装置。
【請求項３】
上記表示板をモータシャフトに取付け、表示板の移動を制御することにより表示窓内の表示色を切換えるように構成した請求項１記載のワイヤレスキーボード装置。
【発明の詳細な説明】
【０００１】
【発明の属する技術分野】
この発明は、ワイヤレスキーボード装置に関するものであり、特に、Ｎｕｍ　Ｌｏｃｋなどの表示機能を設けたワイヤレスキーボード装置に関するものである。
【０００２】
【従来の技術及び発明が解決しようとする課題】
デスクトップコンピュータに用いるワイヤードキーボード装置やノートブックコンピュータのキーボード装置は、Ｎｕｍ　Ｌｏｃｋ，　Ｃａｐｓ　Ｌｏｃｋ，　Ｓｃｒｏｌｌ　Ｌｏｃｋの状態を表示する三つのＬＥＤが備えられており、その他にＥ−Ｍａｉｌの着信表示ＬＥＤなどを追加した多機能形のものもあって、ＬＥＤのオン／オフによってそれぞれの機能のオン／オフあるいはメール着信などの状態を表示している。特に、独立したテンキーを備えたキーボード装置は、通常Ｎｕｍ　Ｌｏｃｋの状態で使用されるので、Ｎｕｍ　Ｌｏｃｋ表示用ＬＥＤが常時電力を消費し、その他のＬＥＤが点灯した場合は点灯個数に比例して電力消費が増大する。したがって、電池を電源とするワイヤレスキーボード装置においては、消費電力を低減するためにこれらのＬＥＤを省き、コンピュータのＰＳ／２ポートまたはＵＳＢポートへワイヤード接続されるＲＦ通信機に上記のＬＥＤを搭載している。よって、キーボードオペレータの視界内にＲＦ通信機を配置する必要があり、配置場所が制約されるという問題がある。
【０００３】
そこで、キー機能のＬｏｃｋ状態表示にかかる電力消費を低減することにより、ＲＦ通信機側ではなくワイヤレスキーボード装置本体上においてキー機能のＬｏｃｋ状態表示を可能として、視認性の向上を図るとともにＲＦ通信機の配置場所の制約を解消するために解決すべき技術的課題が生じてくるのであり、本発明は上記課題を解決することを目的とする。
【０００４】
【課題を解決するための手段】
この発明は、上記目的を達成するために提案するものであり、キーボードの上面カバープレートに窓を形成し、二色に色分けした表示板或いはオン／オフなどの文字を記した表示板を前記窓の下に配置し、モータにより表示板を移動して窓内に表示される色または文字を切換えることにより、Ｎｕｍ　Ｌｏｃｋ，　Ｃａｐｓ　Ｌｏｃｋ，　Ｓｃｒｏｌｌ　Ｌｏｃｋ等のＬｏｃｋ／Ｕｎｌｏｃｋ状態やＥ−Ｍａｉｌの着信等を表示するように構成したワイヤレスキーボード装置を提供するものである。
【０００５】
また、上記表示板の移動機構は、モータシャフトに取付けたピニオンと表示板の裏面に形成したラックとからなるラックピニオン機構であるワイヤレスキーボード装置、並びに、上記表示板をモータシャフトに取付け、表示板の移動を制御することにより表示窓内の表示色を切換えるように構成したワイヤレスキーボード装置を提供するものである。
【０００６】
【発明の実施の形態】
以下、この発明の実施の一形態を図に従って詳述する。図１はワイヤレスキーボード装置１を示し、テンキーグループ２の上側にＮｕｍ　Ｌｏｃｋ，　Ｃａｐｓ　Ｌｏｃｋ，　Ｓｃｒｏｌｌ　Ｌｏｃｋの表示窓３，　４，　５が配置されている。図２はワイヤレスキーボード装置１のキーロック表示機構を示し、表示板６，　７，　８をモータ９，　１０，　１１にてスライドさせて、Ｎｕｍ　Ｌｏｃｋ，　Ｃａｐｓ　Ｌｏｃｋ，　Ｓｃｒｏｌｌ　Ｌｏｃｋの状態を表示する構成としている。
【０００７】
表示板６，　７，　８はワイヤレスキーボード装置１の上面カバーフレーム１２の裏面に形成したスライドガイド１３に装着されており、表面は左右中心線を境にして左半分Ｌを緑色等のＬｏｃｋ状態表示色とし、右半分Ｒは上面カバーフレーム１２と同色（例えば、アイボリーやブラック等）としてＬｏｃｋ解除状態を表示するように形成されている。表示板６，　７，　８の裏面には左右方向のラック１４が形成されていて、モータ９，　１０，　１１のモータシャフト１５に取付けたピ二オン１６がラック１４に噛合っており、モータ９，　１０，　１１の回転方向に応じて表示板６，　７，　８は左または右にスライドする。上面カバーフレーム１２には従来のワイヤードキーボード装置と同様にＮｕｍ　Ｌｏｃｋ，　Ｃａｐｓ　Ｌｏｃｋ，　Ｓｃｒｏｌｌ　Ｌｏｃｋの状態を表示する表示窓３，　４，　５が設けられており、表示窓３，　４，　５の下に配置した表示板６，　７，　８をスライドさせて表示窓３，　４，　５内に表示板６，　７，　８の左半部Ｌまたは右半部Ｒを露出することによってＬｏｃｋ状態またはＬｏｃｋ解除状態を表示する。
【０００８】
図３はワイヤレスキーボード装置１の回路構成を示し、２１はキーボード制御部、２２はキーマトリックス回路、２３はワイヤレスキーボード装置１に内蔵されるＲＦ通信機であり、このＲＦ通信機２３とコンピュータＰＣへワイヤード接続されたＲＦ通信機２４とによってデータ通信を行う。２５は前述した三個のモータ９，　１０，　１１を駆動するモータ駆動回路である。キーボード制御部２１は、ＲＦ通信機２３を介してコンピュータＰＣ側のＲＦ通信機２４から送られてくるデータコードを受信し、データコードに含まれるキーロック状態に関するコードに応じてモータ駆動回路２５へ制御信号を出力し、各モータ９，　１０，　１１を制御してキーロック状態を表示する。
【０００９】
Ｎｕｍ　Ｌｏｃｋ，　Ｃａｐｓ　Ｌｏｃｋ，　Ｓｃｒｏｌｌ　Ｌｏｃｋのキー操作は従来のキーボード装置と変わるところはなく、Ｎｕｍ　Ｌｏｃｋキーを押す毎にモータ９の回転方向が切換わってＮｕｍ　Ｌｏｃｋ表示板６が左右へ交互にスライドし、Ｎｕｍ　Ｌｏｃｋ表示窓３内の表示色が切換わり、Ｎｕｍ　ＬｏｃｋかＬｏｃｋ解除かが目視できる。同様に、Ｃａｐｓ　Ｌｏｃｋキーを押す毎にＣａｐｓ　Ｌｏｃｋ表示板７が右または左右へ交互にスライドし、Ｃａｐｓ　Ｌｏｃｋ表示窓４内の表示色が切換わり、Ｓｃｒｏｌｌ　Ｌｏｃｋキーを押す毎に、Ｓｃｒｏｌｌ　Ｌｏｃｋ表示板８が右または左右へ交互にスライドしてＳｃｒｏｌｌ　Ｌｏｃｋ表示窓５内の表示色が切換わる。
【００１０】
いずれの動作時にも表示板６，　７，　８のスライドは瞬時に完了し、スライド完了後にモータ９，　１０，　１１への通電が停止されるので、ＬＥＤより消費電力の大きいモータを使用しているにもかかわらず、ＬＥＤを長時間点灯する従来のキーボード装置より全体的な消費電力は低減され、電池を電源とするワイヤレスキーボード装置本体にＮｕｍ　Ｌｏｃｋ，　Ｃａｐｓ　Ｌｏｃｋ，　Ｓｃｒｏｌｌ　Ｌｏｃｋの表示機能を搭載することが可能となった。
【００１１】
以上、表示板をスライドさせて表示窓内の表示色を切換える構成を説明したが、例えば、円板形の表示板をステッピングモータのシャフトに取付けて表示板を回転することにより表示窓内の表示色を切換えるように構成してもよく、また、表示板上にＯＮとＯＦＦ等の文字を表記して文字表記を切換えるようにしてもよい。また、Ｎｕｍ　Ｌｏｃｋ，　Ｃａｐｓ　Ｌｏｃｋ，　Ｓｃｒｏｌｌ　Ｌｏｃｋの他にＥ−Ｍａｉｌの着信表示等の表示機能を追加することができることは言うまでもない。
【００１２】
尚、この発明は上記の実施形態に限定するものではなく、この発明の技術的範囲内において種々の改変が可能であり、この発明がそれらの改変されたものに及ぶことは当然である。
【００１３】
【発明の効果】
以上説明したように、本発明のワイヤレスキーボード装置は、モータによりＮｕｍ　Ｌｏｃｋなどの表示を切換えるようにしたので、表示切換え時に瞬間的に電力を消費するのみで消費電力が少なく、電池を電源とするワイヤレスキーボード装置本体にＮｕｍ　Ｌｏｃｋ　などの表示機能を搭載することができた。したがって、ＲＦ通信機にそれらの表示用ＬＥＤを搭載した従来の構成とは異なり、Ｌｏｃｋ状態の視認性が向上するとともに、ＲＦ通信機の配置場所の制約が解消されてデスクトップ環境の向上にも寄与する発明である。
【図面の簡単な説明】
【図１】本発明のワイヤレスキーボード装置の平面図。
【図２】ワイヤレスキーボード装置のキーロック表示機構を示し、（ａ）は平面解説図、（ｂ）は正面断面図である。
【図３】ワイヤレスキーボード装置の回路ブロック図。
【符号の説明】
１　　　　　　　　　ワイヤレスキーボード装置
３，４，５　　　　表示窓
６，７，８　　　　表示板
９，１０，１１　　モータ
１２　　　　　　　　　上面カバーフレーム
１３　　　　　　　　　スライドガイド
１４　　　　　　　　　ラック
１５　　　　　　　　　モータシャフト
１６　　　　　　　　　ピニオン
【図１】
2004078644.tif 000003
【図２】
2004078644.tif 000004
【図３】
2004078644.tif 000005